【手続補正書】
【提出日】平成19年11月2日(2007.11.2)
【手続補正１】
【補正対象書類名】明細書
【補正対象項目名】特許請求の範囲
【補正方法】変更
【補正の内容】
【特許請求の範囲】
【請求項１】  発泡性ポリマー組成物を加工するための押出ダイであって、該ダイは第１主平面および離隔した実質的に平行な第２主平面を有するソリッドボディを含み、該ボディは、溶融ポリマーを受容するキャビティがその中に画定されており、該キャビティは、第２主平面と交わる開放端面と第１および第２主平面の間に配置された閉鎖端面とを有し、第１主平面は、溶融ポリマーを受容する該キャビティおよび第１主平面と流体連通にあるところの、少なくとも２セットの第１開口がその中に画定されており、各第１開口セットは他の第１開口セットから離隔されていると共に、セットの各開口は、完全な中空幾何学的形状のセグメントを形成する形状を有し、しかも単一セットにおけるすべての開口は、互いに離隔されているがしかし該完全な幾何学的形状に近づくのに十分な態様で配置されている上記ダイ。
【請求項２】  少なくとも２つの第２開口を更に含み、第２開口は第１主平面中に画定されておりかつ溶融ポリマーを受容するキャビティと流体連通にあり、しかも第２開口は第１開口のセットから離隔されている、請求項１に記載のダイ。
【請求項３】  複数の第３開口を更に含み、第３開口は第１主平面中に画定されておりかつ流体媒質、発泡剤または他の成分の源および第１主平面の両方と流体連通にあり、各第３開口は第１主平面中において、第１開口により形成された完全な中空幾何学的形状内の点において画定されている、請求項１または２に記載のダイ。
【請求項４】  発泡性ポリマー組成物を加工するためのツーピース押出ダイであって、該ダイは第１ソリッドボディセグメントおよび第２ソリッドボディセグメントを含み、第１ソリッドボディセグメントは第１主平面および離隔した実質的に平行な第２主平面を有し、しかも第１ボディセグメントは、発泡性組成物を受容および分配するキャビティがその中に画定されており、該キャビティは、第２主平面と交わる開放端面と第１および第２主平面の間に配置された閉鎖端面とを有し、第１ボディセグメントはまた、該キャビティの該閉鎖端面から始まりそして該キャビティの該開放端面を越えて延在する複数のピンが取り付けられおり、第２ボディセグメントは第１主平面および離隔した実質的に平行な第２主平面を有し、しかも第２ボディセグメントは、第１および第２主平面の両方と流体連通にある複数の離隔した第１開口がその中に画定されており、第１および第２ソリッドボディセグメントは、第１セグメントの第２主平面を第２セグメントの第１主平面に隣接して組み立てられる時、協同して複数のダイギャップを与え、該ダイギャップは、第１ボディセグメントからのピンと第２ボディセグメントの第１開口との組合わせにより形成され、しかも該ダイギャップは、発泡性組成物を受容および分配する該キャビティから第２セグメントの第２主平面までの流体流用通路を与える上記ダイ。
【請求項５】  少なくとも２つの第２開口を更に含み、第２開口は第２ダイセグメント中に画定されておりかつ第２ダイセグメントの両方の主平面と流体連通にあり、しかも第２開口は第１開口から離隔されている、請求項４に記載のダイ。
【請求項６】  複数の第３開口を更に含み、各第３開口はピン中に、第２セグメントの第２主平面に近位のピンの端面および流体媒質、発泡剤または他の成分の源の両方並びに第１主平面と流体連通するような態様で画定されている、請求項４または５に記載のダイ。
【請求項７】  中空マルチストランドまたは中空合体ストランド発泡体物品を製造する方法であって、
ａ．  発泡剤組成物と少なくとも１種のフィルム形成性組成物とを含む発泡性組成物を用意し、しかも該発泡性組成物はゲル状態にあり、
ｂ．  各々が中空押出物をもたらす複数の第１オリフィスを有するダイを通じて該発泡性組成物を押し出し、
ｃ．  フォーム気泡安定性を促進する温度にて該中空押出物を発泡中空押出物ストランドに転換し、そして
ｄ．  隣接した個々のストランド間の付着を達成して中空マルチストランドフォーム押出物をもたらすために、少なくともいくらかの表面粘着性を該発泡中空押出物ストランドが保持している間にかかるストランドを互いに接触させる
ことを含む方法。
【請求項８】  発泡剤組成物が、二酸化炭素、窒素、窒素酸化物、貴ガス、空気、炭化水素、エーテル、低級（１ないし６個の炭素原子）アルコール、部分ハロゲン化炭化水素、アンモニア、水、およびかかる発泡剤の二つまたはそれ以上の混合物から選択された少なくとも１種の発泡剤を含む、請求項７に記載の方法。
【請求項９】  ダイが、中実押出物をもたらす複数の第２オリフィスも含み、それにより工程ｂが中実フォーム押出物と中空フォーム押出物の組合わせをもたらしそして工程ｄが中実フォーム押出物ストランドおよび中空フォーム押出物ストランドの両方を含むマルチストランドフォーム押出物をもたらす、請求項８に記載の方法。
【請求項１０】  中実フォーム押出物ストランドがマルチストランドフォーム押出物の一つの部分を形成しそして中空フォーム押出物ストランドがマルチストランドフォーム押出物の第２の部分を形成して、中空および中実フォームストランドの両方の存在が複合気泡質発泡構造体を構成する、請求項９に記載の方法。
【請求項１１】  フィルム形成性組成物がポリスチレンを含み、しかも方法が、発泡されたままの中空押出物ストランドのフォーム密度より低くフォーム密度を低減するのに十分な時間、中空マルチストランドフォーム押出物を水蒸気に暴露する後続工程ｅを更に含む、請求項７に記載の方法。
【請求項１２】  フィルム形成性組成物がさらにエチレン／スチレンインターポリマーを含む、請求項１１に記載の方法。
【請求項１３】  フィルム形成性組成物が、水蒸気の温度（大気圧において公称１００℃）付近のガラス転移温度を有するポリマーを含む、請求項７に記載の方法。
【請求項１４】  工程ｃの温度が、ポリマーのガラス転移温度（Ｔg）より高い、または溶融温度（Ｔm）を有するのに十分な結晶化度を有するものについてはＴm付近にある、請求項７〜１３のいずれか一つに記載の方法。
【請求項１５】  複数本の合体中空押出ストランドを含む気泡質フォーム構造体。
【請求項１６】  フォームが、オレフィンホモポリマー、オレフィンコポリマー、アルキレン芳香族ポリマーおよびコポリマー、ポリエステルおよびコポリマー、ポリカーボネート、ポリアミド、ポリイミド、ハロゲン化オレフィンポリマーおよびコポリマー、天然ポリマー、タンパク質、ポリサッカライド、熱可塑性ポリウレタン、並びにポリスチレンとエチレン／スチレンインターポリマーのブレンドから選択された少なくとも１種のフィルム形成性材料を含んでなる、請求項１５に記載の構造体。
【請求項１７】  ストランドが、異なるポリマー組成を有する、請求項１５に記載の構造体。
【請求項１８】  フォームが、ＡＳＴＭ Ｄ−２８５６Ａに従って決定された場合に、フォームストランド間の隙間のチャネルもしくは空隙またはフォーム構造体の少なくとも一部を形成する中空ストランド内のチャネルを含めないで、気泡の総数を基準として５０パーセントより大きい独立気泡百分率を有する、請求項１５に記載の構造体。
【請求項１９】  フォームが、ＡＳＴＭ Ｄ−２８５６Ａに従って決定された場合に、フォームストランド間の隙間のチャネルもしくは空隙またはフォーム構造体の少なくとも一部を形成する中空ストランド内のチャネルを含めないで、気泡の総数を基準として５０パーセントより大きい連続気泡百分率を有する、請求項１５に記載の構造体。
【請求項２０】  複数本の中実発泡ストランドを更に含む、請求項１５〜１９のいずれか一つに記載の構造体。
【請求項２１】  フィルム形成性材料が架橋性ポリオール−イソシアネートブレンドであり、しかも構造体が架橋条件への暴露後に熱硬化構造体になるようにフォームが少なくとも１種の架橋促進剤を更に含む、請求項１６に記載の構造体。
【請求項２２】  石膏ボード、セメント質ボード、合板および配向ストランドボードから成る群から選択された表面仕上げ材を更に含み、しかも該表面仕上げ材が、請求項１５に記載の構造体における合体中空押出ストランドの少なくとも外面部分または請求項２０に記載の構造体における合体中空押出ストランド、中実発泡ストランドもしくは中空および中実ストランドの両方の少なくとも外面部分に付着されている、請求項１５または２０に記載の構造体。
【請求項２３】  少なくとも部分的に請求項１５〜２１のいずれか一つに記載のフォーム構造体から製作された製造物品であって、該物品が、遮音用構造体、断熱用構造体、エネルギー吸収用構造体、包装用構造体、空所充填用構造体、空気分布用構造体、フィルター用構造体、衝撃エネルギー処理用構造体、表面レベリング用構造体、液体およびガスの吸収および保持用の構造体、物体支持用構造体、寝具用構造体、一体化建築構造体および地球物理学的構造体から成る群から選択される物品。
【手続補正２】
【補正対象書類名】明細書
【補正対象項目名】００１０
【補正方法】変更
【補正の内容】
【００１０】
第２の観点において、本発明は、発泡性ポリマー組成物を加工するための押出ダイを含んでなり、しかして該ダイは第１主平面および離隔した実質的に平行な第２主平面を有するソリッドボディ（Solid Body:固形体）を含み、該ボディは、溶融ポリマーを受容するキャビティがその中に画定されており、該キャビティは、第２主平面と交わる開放端面と第１および第２主平面の間に配置された閉鎖端面とを有し、第１主平面は、溶融ポリマーを受容する該キャビティおよび第１主平面と流体連通にあるところの、少なくとも２セットの第１開口がその中に画定されており、各第１開口セットは他の第１開口セットから離隔されていると共に、セットの各開口は、完全な中空幾何学的形状の部分またはセグメントを形成する形状を有し、しかも単一セットにおけるすべての開口は、互いに離隔されているがしかし該完全な中空幾何学的形状に近づくのに十分な態様で配置されている。完全な形状が環状輪である場合、各セグメントは、好ましくは、総体的に的確な形状を有する。各第１開口セットは、望ましくは、互いとの協同的組合わせにて完全な中空幾何学的形状に近づくよう働く少なくとも２つの開口セグメントを含む。環状または円形の輪を例示の目的のためにのみに用いると、該セットの一つの変型は、少なくとも２つの総体的に的確なセグメントを含む。２つのみのかかるセグメントが円形輪に近づく場合、各第１開口セットは、２つの総体的に半円形の開口を有する。